【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
１）近位ダイレータ端（２８）を有する細長いダイレータステム（２６）、及び
２）近位ダイレータ端（２８）に固定状態で接続されると共に、その遠位部（２９）にロック部（３０）を含むダイレータハブ（２０）を
有する
ａ）ダイレータ（１２）と、
１）近位シース端（５２）、遠位シース端（５４）と近位シース端と遠位シース端の間を延在する長手方向軸心を有すると共に、ダイレータステムを摩擦的に係止するように寸法設定された細長い管状部（４３）、
２）近位シース端と遠位シース端の間の平面内を延在する少なくとも１個の引裂き継目（５８）、及び
３）近位シース端（５２）に固定状態で接続され、近位部（５０）を含むと共に、更に、その近位部内に弁（２６０、３６０）と相手ロック部（５３）を含むシースハブ（４０）を
有する
ｂ）シース（１４）と
を備え、
ダイレータハブのロック部（３０）とシースハブの相手ロック部（５３）が、ダイレータ（１２）とシース（１４）の間の解除自在のロッキング係合をもたらすダイレータ・シース組立物（１０、２００、３００）。
【請求項２】
少なくとも１個の引裂き継目が、前記平面内に配置された２個の引裂き継目（５８）を備えると共に、前記平面はシース（１４）を長手方向に２分し、又、シースハブ（４０）は、その細長い管状部に沿って管状部（４３）の長手方向軸心に平行に配置された２個の反対向きの抱（４８）を更に備え、且つ、反対向きの抱（４８）が、２個の引裂き継目（５８）を含む前記平面内に配置された請求項１に記載のダイレータ・シース組立物（１０、２００、３００）。
【請求項３】
シースハブ（４０）が２個の反対向きの翼状タブ（４２）を備え、又、各翼状タブ（４２）が垂直部（４４）と屈曲部（４６）を含み、更に、垂直部が、管状部（４３）の長手方向軸心に垂直な平面内でシースハブから側方に延在すると共に、翼状タブの屈曲部（４６）が垂直部から延在する一方、垂直部の近位面と屈曲部の間の角度が、約９０°と約１７９°の間、好ましくは、約１３０°と約１４０°の間である請求項１に記載のダイレータ・シース組立物（１０、２００、３００）。
【請求項４】
弁（２６０）が、シースハブ（２４０）の相手ロック部（２５３）の近位側に配置された請求項２に記載のダイレータ・シース組立物（２００）。
【請求項５】
ダイレータ・シース組立物（２００）の長手方向引裂きを容易にするように、弁が、抱（２４８）及び引裂き継目（２５８）に心合せされるようにその内部に形成された長手方向スリット（２６２）を含む請求項２乃至４のいずれかに記載のダイレータ・シース組立物（２００）。
【請求項６】
弁（３６０）が、シースハブ（３４０）の相手ロック部（３５３）の遠位側に配置され、又、キャップ（３６４）が、シースハブ（３４０）の遠位端に固定されていると共に、相手ロック部（３５３）を含み、更に、キャップは弁（３６０）を所定位置に堅固に維持する請求項２に記載のダイレータ・シース組立物（３００）。
【請求項７】
弁をシースハブ内に更に確実に固定するように、キャップ（３６４）が、弁（３６０）の円周面の回りの対応する環状係止溝（３７２）内に配置された突起（３７４）を含む請求項６に記載のダイレータ・シース組立物（３００）。
【請求項８】
少なくとも１個の引裂き継目が、前記平面内に配置された２個の引裂き継目（５８）を備えると共に、前記平面はシース（１４）を長手方向に２分し、又、シースハブ（４０）は、その細長い管状部に沿って管状部（４３）の長手方向軸心に平行に配置された２個の反対向きの抱（４８）を更に備え、且つ、反対向きの抱（４８、２４８）が、２個の引裂き継目（５８、２５８）を含む前記平面内に配置される一方、キャップ（３６４）が凹所（３７０）を含み、又、弁（３６０）が、その近位面（３６６）に切欠き（３６８）を更に含み、且つ、ダイレータ・シース組立物（３００）の長手方向引裂きを容易にするように、凹所と切欠きの両方が抱（４８、２４８）及び引裂き継目（５８、２５８）と心合せされる請求項６に記載のダイレータ・シース組立物（３００）。
【請求項９】
細長いダイレータステム（２６）、近位ダイレータ端（２８）、及び近位ダイレータ端（２８）に固定状態で接続されると共に、その遠位部（２９）にロック部（３０）を含むダイレータハブ（２０）を有する
ａ）ダイレータ（１２）と、
（ｉ）近位シース端（５２）、遠位シース端（５４）と近位シース端と遠位シース端の間を延在する長手方向軸心を有する細長い管状部（４３）、
（ｉｉ）近位シース端（５２）と遠位シース端（５４）の間を管状部（４３）に沿って延在する２個の引裂き継目（５８、２５８）、
（ｉｉｉ）一緒にハブ（１４０）を形成する反対向きの第１シースハブ部分（１４５）と第２シースハブ部分（１４８）、及び
（ｉｖ）近位シース端（５２）と遠位シース端（５４）の間に配置された弁（２６０、３６０）を
有する
ｂ）シース（１４）と
を備え、
２個の引裂き継目が、シースの両側に配置されると共に、シースの長手方向軸心を含む平面内にあり、又、第１シースハブ部分（１４５）と第２シースハブ部分（１４８）の各々が、シースに固定状態で接続された逆半円形縁部を備えることにより、第１シースハブ部分と第２シースハブ部分は管状のシース（１４）を大体囲繞して、管状ハブ部分に沿って第１シースハブ部分と第２シースハブ部分の間に小さな空間（１４１）があり、更に、第１シースハブ部分と第２シースハブ部分の間の空間が、シース（１４）上の２個の引裂き継目（５８、２５８）と心合せされ、且つ、第１シースハブ部分と第２シースハブ部分の各々が、その近位端にロック部（５３）を備えることにより、第１ロック部（１４５）と第２ロック部（１４８）が、シースの近位端（５２）を成す円形ロック部を形成すると共に、ダイレータ（１２）とシース（１４）の間の解除自在のロッキング係合をもたらすように、ロック部（５３）がダイレータハブ（２０）のロック部（３０）と係合自在であるダイレータ・シース組立物（１０、２００、３００）。
【請求項１０】
反対向きの第１シースハブ部分（１４５）と第２シースハブ部分（１４８）が、長手方向軸心の両側上の少なくとも１個のウェブ（１４９）によって長手方向軸心の一方の側で互いに接続され、又、少なくとも１個のウェブ（１４９）が、シース（１４）の回りの完全な円を形成するように第１シースハブ部分と第２シースハブ部分に接着される、シースハブ（１４０）の脆弱部を構成し、更に、少なくとも１個のウェブ（１４９）がシースハブ（１４０）より小さい引張り強さを有し、且つ、少なくとも１個のウェブが、シースハブ（１４０）の近位開口（１５１）に沿って位置決めされることにより、少なくとも１個のウェブと２個のシースハブ部分が同面の頂面（１５０）を形成し、又、同面の頂面が大体平坦であり、更に、同面の頂面がシースの長手方向軸心に垂直であり、且つ、同面の頂面（１５０）が管状のシース（１４）の近位端を形成する請求項９に記載のダイレータ・シース組立物（１０、２００、３００）。
【請求項１１】
反対向きの第１シースハブ部分（１４５）と第２シースハブ部分（１４８）が、両側の各々で部材（１４９）によって長手方向軸心の一方の側で接続され、又、前記部材が、シースの回りの完全な円を形成するように、ハブに接着され、更に、シースの引裂きとシースの軸心と２個の引裂き継目を含む平面に沿ったシースの分離を助けるように、前記部材は第１シースハブ部分と第２シースハブ部分より小さい引張り強さを有する請求項１０に記載のダイレータ・シース組立物（１０、２００、３００）。
【請求項１２】
弁（２６０）が、シースハブ（２４０）の相手ロック部（２５３）の近位側に配置された請求項９乃至１１のいずれかに記載のダイレータ・シース組立物（２００）。
【請求項１３】
ダイレータ・シース組立物（２００）の長手方向引裂きを容易にするように、抱（２４８）と引裂き継目（２５８）に心合せされた長手方向スリット（２６２）が、弁に形成された請求項９乃至１２のいずれかに記載のダイレータ・シース組立物（２００）。
【請求項１４】
弁（３６０）が、シースハブ（３４０）の相手ロック部（３５３）の遠位側に配置され、又、キャップ（３６４）が、シースハブ（３４０）の遠位端に固定されると共にロック部（３５３）を含み、更に、キャップが、弁（３６０）を所定位置に堅固に維持する請求項９乃至１１のいずれかに記載のダイレータ・シース組立物（３００）。
【請求項１５】
弁をシースハブ内に更に確実に固定するように、キャップ（３６４）が、弁（３６０）の円周面の回りの対応する環状係止溝（３７２）内に配置された突起（３７４）を含む請求項１４に記載のダイレータ・シース組立物（３００）。
【請求項１６】
キャップ（３６４）が凹所（３７０）を含み、又、弁（３６０）が、その近位面（３６６）に切欠き（３６８）を更に含み、且つ、ダイレータ・シース組立物（３００）の長手方向引裂きを容易にするように、凹所と切欠きの両方が抱（４８、２４８）及び引裂き継目（５８、２５８）と心合せされる請求項１４に記載のダイレータ・シース組立物（３００）。
【請求項１７】
ダイレータ（１２）をシース（１４）から分離する方法において、
長手方向軸心に沿って延在するダイレータステム（２６）と、ダイレータステム（２６）の近位端（２８）に接続されていると共に、雄型ロック部（３０）を含むダイレータハブ（２０）とを有するダイレータ（１２）を用意するステップａと、
雌型ロック部（５３）を含むシースハブ（４０）と、弁（２６０、３６０）と、各々が垂直部（４４）と屈曲部（４６）を有する翼状タブ（４２）とを有するシース（１４）を用意して、ダイレータハブ（２０）上の雄型ロック部（３０）をシースハブ（４０）上の雌型ロック部（５３）に係合させることによって、ダイレータ（１２）がシース（１４）に解除自在に接続されるステップｂと、
ダイレータ（１２）を長手方向軸心の回りでシース（１４）に対して回転することにより、雄型ロック部（３０）を雌型ロック部（５３）からロック解除するステップｃと、
ダイレータ（１２）をシース（１４）から取外すステップｄと
を備える方法。
【請求項１８】
カテーテル組立物とシースが、共に、カテーテル挿入すべき所望の血管の内部に部分的に配置されている状態で、シースをカテーテル組立物の回りから除去する方法において、
シース（１４）とカテーテル組立物を所望の血管内に設けて配置するステップを備え、
シース（１４）は、
ａ．長手方向軸心と、
ｂ．シース（１４）の長手方向軸心に心合せされた中空部を設けて、遠位先端を有する遠位部（５４）と、
ｃ．シースの全長手方向軸心を貫通する中空通路を含む細長い管状構造（４３）と、
ｄ．その近位端における近位先端とシースの長手方向軸心に沿った中空通路を含む近位部（５２）と、
ｅ．シースの全長を延在すると共にシースの長手方向軸心と共面である２本の反対向きの引裂き継目（５８、２５８）と、
ｆ．シースの近位部（５２）に固定状態で接続されていると共に管状部を含むシースハブ（４０、２４０）と
を有し、シースハブは、
（ｉ）ハブの管状部に沿って管状シースの長手方向軸心に平行に配置されると共に、シースの表面とシースの長手方向軸心に沿って延在する引裂き継目（５８、２５８）と共面である２個の反対向きの抱（４８、２４８）、
（ｉｉ）各々が、シースの長手方向軸心と２個の反対向きの抱（４８、２４８）を含む平面に垂直な平面内でシースハブ（４０、２４０）から側方に延在する垂直部（４４）と、垂直部（４４）から延在する屈曲部（４６）とを含んで、垂直部の近位面と屈曲部の間の角度が９０°と１７９°の間である２個の反対向きの翼状タブ（４２）、及び
（ｉｉｉ）抱（４８、２４８）及び引裂き継目（５８、２５８）と心合せされたスリット（２６２）又は切欠き（３６８）を有する弁（２６０、３６０）を
含み、
前記方法が、更に、
遠位方向力を各翼状タブ（４２）の屈曲部（４６）の近位面（１４７）に印加するステップＡと、
遠位方向力が近位面（１４７）に印加される点よりもシース（１４）の中心に近いタブ上の点において、近位方向力を各タブ（４０）の遠位面（１４８）に印加するステップＢと、
シース（１４）のタブ（４２）を掴んでシース（１４）の中心から外方に引張ることにより、シースの長さを延在する引裂き継目（５８）に沿ってシースを２個の半分部に分離すると共に、スリット（２６２）又は切欠き（３６８）に沿って弁を２個の半分部に分離するステップＣと、
シース（１４）を近位方向に引張るステップＤと
を備える方法。